(57)【特許請求の範囲】
【請求項１】
片面を電報用紙取付面とした台紙本体と窓部を有する額縁体とが背を介して連接された電報用台紙であって、前記台紙本体の電報用紙取付面に前記背側を出し入れ口として電報用紙を出し入れできる袋部が設けられ、電報用紙取付面が内側となるように背から折り曲げたときに台紙本体に対向する額縁体の片面側に、立体形状を有する装飾用器物が配置される収納箱部が設けられ、前記装飾用器物は、台紙に取り付けた波打ち状の立体形状を有する布からなる背景部材の一部に形成された凹所に取り付けられ、前記装飾用器物と台紙の背景部材とが一体となって収納箱部に出し入れ可能に挿入されていて、前記立体形状の装飾用器物と前記背景部材の波打ち状態の部分とが前記窓部から目視可能に設けられ、前記収納箱部の出し入れ口は前記背側に位置していて、台紙本体と額縁体との間を開いたときの前記収納箱部の出し入れ口と前記袋部の出し入れ口とが相対向する構成とされていることを特徴とする電報用台紙。
【請求項２】
上記窓部には内部を透視可能な透明フィルム材が設けられている請求項１に記載の電報用台紙。
【発明の詳細な説明】
【０００１】
【発明の属する技術分野】
本発明は電報用台紙に関するものである。
【０００２】
【発明が解決しようとする課題】
従来、電報用紙、特に祝電などのような電報を送る場合、送り手の気持ちをより表すことができるようにするために絵柄などが設けられた電報用台紙が用意されていて、電報用紙にこの電報用台紙を合わせて送り届けるようにしている。そして、この祝電などとして用いるような電報用台紙では、二つ折りされたシートの内面側を電報用紙取付面とするとともに、電報用紙を挟み込むようにして二つ折りしたときに外方となる外表面に絵柄などを設けており、近年においてはその絵柄などを印刷や刺繍により豪華なものとして装飾性を高めるようにしている。
【０００３】
しかしながら、印刷や刺繍などによる装飾は電報用台紙の外表面に対する固定的な飾り付けであるために、季節感に応じた色彩を有する飾り付けや電報発信者側の要望に沿った飾り付けなどとなるような迅速な変更が行えないという問題があり、これらの要求に応じようとする数多くの種類の電報用台紙を用意しなければならないという不都合が生じている。また、上述したように電報用台紙の表面に装飾性を高めるようにした工夫がなされるようになってきたことから、電報を受けた側ではその豪華な装飾部分を記念として残しておきたいという要望があるものの、装飾部分が一体となっているため、多くの電報用台紙をそのまま保管するという手間を掛けている。
一方、電報では電報文を送り届けることを基本としているため、発信者側から電報文とともに心づくしの品などを送ろうとしても受信者側へは送り届けることができず、よって、電報が無味乾燥的なものとなり易いという不都合があった。
そこで本発明は上記した従来の事情に鑑み、電報用台紙に設けられている装飾に変化を持たせ易くするとともに、受信者側への送り物を電報用台紙に予め備えることができるようにすることを課題とし、電報用台紙の有用性を向上させることを目的とするものである。
【０００４】
【課題を解決するための手段】
本発明は上記課題を考慮してなされたもので、片面を電報用紙取付面とした台紙本体と窓部を有する額縁体とが背を介して連接された電報用台紙であって、前記台紙本体の電報用紙取付面に前記背側を出し入れ口として電報用紙を出し入れできる袋部が設けられ、電報用紙取付面が内側となるように背から折り曲げたときに台紙本体に対向する額縁体の片面側に、立体形状を有する装飾用器物が配置される収納箱部が設けられ、前記装飾用器物は、台紙に取り付けた波打ち状の立体形状を有する布からなる背景部材の一部に形成された凹所に取り付けられ、前記装飾用器物と台紙の背景部材とが一体となって収納箱部に出し入れ可能に挿入されていて、前記立体形状の装飾用器物と前記背景部材の波打ち状態の部分とが前記窓部から目視可能に設けられ、前記収納箱部の出し入れ口は前記背側に位置していて、台紙本体と額縁体との間を開いたときの前記収納箱部の出し入れ口と前記袋部の出し入れ口とが相対向する構成とされていることを特徴とする電報用台紙を提供して、上記課題を解消するものである。
そして、本発明において、上記窓部には内部を透視可能な透明フィルム材が設けられているものとすることが可能である。
【０００５】
【発明の実施の形態】
つぎに本発明を図１から図３に示す実施の形態に基づいて詳細に説明する。
図中１は電報用台紙で、該電報用台紙１は台紙本体２と額縁体３とが所要の幅を有した背４を介して連接されたものである。そして、この電報用台紙１の外面が外方となるようにして前記背４から折り曲げたときの対向面の内、台紙本体２の対向面２ａには、背４に対して反対側となる側辺およびその側辺側の上下辺の三辺に亘るようにして袋部５が形成されていて、この袋部５は背４側を出し入れ口として電報用紙を出し入れ可能に収納する。
一方、上記額縁体３の対向面３ａにあっては背４側を出し入れ口として開放した収納箱部６が設けられていて、図２に示すように、台紙本体２と額縁体３との間を開いたときに前記収納箱部６の出し入れ口と前記袋部５の出し入れ口とが相対向するようにしている。そして、この額縁体３にあっては図３に示されているように透明フィルム材７で覆われた窓部８が設けられており、この窓部８を通して収納箱部６の内部を外方から見ることができるようにしている。
【０００６】
図中９は金杯や汁器などからなる立体形状を呈する装飾用器物であり、上記収納箱部６に挿入可能な形状に形成された背景部材１０に取付固定されていて、この背景部材１０と前記装飾用器物９とが一体となった状態で収納箱部６に挿入されている。そして、収納箱部６に挿入される装飾器物９は窓部８に対応するようにして背景部材１０に支持されているものであり、窓部８の透明フィルム材７を通して背景部材１０とともに前記装飾用器物９が目視できるように設けられている。
【０００７】
上記背４の幅はこの背４から電報用台紙１を折り曲げたときに台紙本体２の対向面２ａが上記収納箱部６に密に接するようにした長さに設定されており、電報用台紙１を折り曲げたときには上記袋部５に挿入した電報用紙が台紙本体２の対向面と収納箱部６との間で挟み込まれた状態にして適正に保持され、また、電報用台紙１を見開けばすぐに電報用紙を目視できるものとなっている。
さらに、電報用台紙１を折り曲げた状態としても収納箱部６に収納された装飾用器物９は窓部８から背景部材１０とともに目視できる状態となっており、背景部材１０を背景にして装飾用器物９が見えることから、その背景部材１０が装飾用器物９を格調付けて電報用台紙１の装飾性が格段に向上するようになるとともに、電報を受けた側では贈り物を伴っていることがすぐに判断できるとともに、電報発信者の真心をより一層受け止められるようになる。
【０００８】
上記装飾用器物９は収納箱部６から背景部材１０を引き出すことで電報用台紙１から外すことができ、そして、背景部材１０から取り外すことで単独で取り扱える。背景部材１０は台紙１１に或る程度波打ち状態にして布１２を貼り付けていて、図３に示すように波打ち状態とした布１２により立体形状を有するものとされており、その背景部材１０での凹所となる部分での布１２の上から接着部材などを用いて取付けたものであるが、電報送付過程での取り扱いで装飾用器物９が窓部８からズレないものであれば、そして、電報受取人側での手操作で背景部材１０から取り外せるものであれば、装飾用器物９の背景部材１０に対する取付方は自由である。
また、本発明では、額縁体３の窓部８から上記装飾用器物９が背景部材１０を伴った状態で目視できるものであればよい。よって、上述した実施の例では、収納箱部６に装飾用器物９と背景部材１０とを挿入して額縁体３に組み合わせる構成としているが、本発明はこれに限定されない。
【０００９】
【発明の効果】
以上説明したように、本発明の電報用台紙によれば、片面を電報用紙取付面とした台紙本体と窓部を有する額縁体とが背を介して連接された電報用台紙であって、前記台紙本体の電報用紙取付面に前記背側を出し入れ口として電報用紙を出し入れできる袋部が設けられ、電報用紙取付面が内側となるように背から折り曲げたときに台紙本体に対向する額縁体の片面側に、立体形状を有する装飾用器物が配置される収納箱部が設けられ、前記装飾用器物は、台紙に取り付けた波打ち状の立体形状を有する布からなる背景部材の一部に形成された凹所に取り付けられ、前記装飾用器物と台紙の背景部材とが一体となって収納箱部に出し入れ可能に挿入されていて、前記立体形状の装飾用器物と前記背景部材の波打ち状態の部分とが前記窓部から目視可能に設けられ、前記収納箱部の出し入れ口は前記背側に位置していて、台紙本体と額縁体との間を開いたときの前記収納箱部の出し入れ口と前記袋部の出し入れ口とが相対向する構成とされているため、電報の受信者側に対して電報文とともに装飾用器物を贈答物として提供できるようになり、電報発信者側の真心がより一層伝え易くなり、電報受領者側では電報を受けたときの記念物などとしてこの装飾用器物を単独の飾り物として取り扱え、電報発信者側の真心を長くとどめることができる。また、装飾用器物を取り外した後に額縁体の窓部の背部に他物を位置させ、電報用台紙全体を収納体や置物として別用途に活用できるようになる。
【００１０】
そして、上記装飾用器物が背景部材に支持され、背景部材と装飾用器物とが上記窓部から目視可能に設けられているものとすることで、装飾用器物の豪華さが強調されて電報用台紙の装飾性が格段に向上する。また、装飾用器物と背景部材との組み合わせを選択することで電報用台紙のバリエーションが多くなる。
さらに、上記窓部に内部を透視可能な透明フィルム材を設けるようにすれば、窓部から装飾用器物の取り出しを不可とし、窓部からの不正な取り外しを防止でき、外部から他物が窓部を通して侵入するのも防止できるようになる。そして、透明フィルム材で装飾用器物が保護された状態となっているため、電報用台紙を取り扱う上で装飾用器物に触れないようにするという注意を払う必要がなく、装飾用器物を有する電報用台紙の取り扱いが簡単になるなど、実用性に優れた効果を奏するものである。
【図面の簡単な説明】
【図１】本発明に係る電報用台紙の一例を外面側から見た状態で示す説明図である。
【図２】装飾用器物と背景部材とを収納箱部から分離した状態で示す説明図である。
【図３】一例の額縁部を断面で示す説明図である。
【符号の説明】
１…電報用台紙
２…台紙本体
３…額縁体
４…背
５…袋部
６…収納箱部
７…透明フィルム材
８…窓部
９…装飾用器物
１０…背景部材
１１…台紙
１２…布
【図１】
0004586277.tif 000002
【図２】
0004586277.tif 000003
【図３】
0004586277.tif 000004